(57)【特許請求の範囲】
【請求項１】
電力スプリッタにおいて、
Ｎの無線周波数チャネルが並列に接続される並列無線周波数接続点であって、Ｎが１より大きな正の整数であり、前記Ｎの無線周波数チャネルの並列接続が、前記接続点における出力インピーダンスを規定する、前記並列無線周波数接続点と、
前記並列無線周波数接続点と前記電力スプリッタの入力部との間に接続され、前記接続点における出力インピーダンスと、前記電力スプリッタの前記入力部に接続され、インピーダンスＺ0をフィードするように設計された入力無線周波数信号源との間のインピーダンス整合を提供するインピーダンス整合回路と、
を有し、
前記インピーダンス整合回路が、インピーダンスＺ0をフィードするように設計された入力無線周波数信号源と接続される第１の端部と、前記並列無線周波数接続点と接続された第２の端部とを持ち、分布インダクタンスを持つ同軸ケーブルを有し、
前記並列無線周波数接続点を前記Ｎの無線周波数チャネルと接続する同軸ケーブルの長さが、前記Ｎの無線周波数チャネルに対して選択された位相特性を提供するように選択される、電力スプリッタ。
【請求項２】
前記Ｎの無線周波数チャネルの各々のインピーダンスがＺchであり、前記整合回路が、前記インピーダンスＺ0を前記並列無線周波数接続点におけるＺch／Ｎに変換する、請求項１に記載の電力スプリッタ。
【請求項３】
前記Ｎの無線周波数チャネルと動作可能に接続されたＮの無線周波数絶縁体、
を有する、請求項１又は請求項２のいずれか一項に記載の電力スプリッタ。
【請求項４】
前記Ｎの無線周波数絶縁体が、Ｎの無線周波数サーキュレータを含む、請求項３に記載の電力スプリッタ。
【請求項５】
前記インピーダンス整合回路が、
前記分布インダクタンスを持つ同軸ケーブルと電気的に接続されたキャパシタンスであって、前記同軸ケーブルの分布インダクタンス及び前記接続されたキャパシタンスが協働して整合回路インピーダンスを規定する、前記キャパシタンス、
を有する、請求項１に記載の電力スプリッタ。
【請求項６】
前記Ｎの無線周波数チャネルが、同軸ケーブル入力部を持ち、前記並列無線周波数接続点が、
前記Ｎの無線周波数チャネルのＮの同軸ケーブル入力部のＮの端部が一緒に電気的に接続されるスターポイント並列接続部、
を有する、請求項１に記載の電力スプリッタ。
【請求項７】
磁気共鳴システムにおいて使用する無線周波数送信システムにおいて、
標的核において磁気共鳴を励起する無線周波数において入力無線周波数信号を生成し、インピーダンスＺ0をフィードするように設計される無線周波数電力増幅器と、
１より大きい正の整数であるＮの無線周波数チャネルを持つ多チャネル無線周波数コイルと、
電力スプリッタであって、（ｉ）並列無線周波数接続点であって、前記並列無線周波数接続点における出力インピーダンスを規定するように前記多チャネル無線周波数コイルのＮの無線周波数チャネルが並列に接続される前記並列無線周波数接続点、及び（ｉｉ）前記無線周波数電力増幅器を前記並列無線周波数接続点と接続し、前記無線周波数電力増幅器と前記接続点における前記出力インピーダンスとの間のインピーダンス整合を提供するインピーダンス整合回路を含む前記電力スプリッタと、
を有し、
前記多チャネル無線周波数コイルが、多素子全身コイルであり、前記多素子全身コイルのＮの無線周波数チャネルが、対応するＮの同軸ケーブル入力部を持ち、前記並列無線周波数接続点が、前記多素子全身コイルの前記Ｎの無線周波数チャネルの前記Ｎの同軸ケーブル入力部のＮの端部が物理的かつ電気的に相互接続されるスターポイント並列接続部を有し、
前記並列無線周波数接続点を前記Ｎの無線周波数チャネルと接続する同軸ケーブルの長さが、前記Ｎの無線周波数チャネルに対して選択された位相特性を提供するように選択される、無線周波数送信システム。
【請求項８】
前記多チャネル無線周波数コイルの前記Ｎの無線周波数チャネルが、それぞれのインピーダンスＺ1、Ｚ2、...、ＺNを持ち、前記並列無線周波数接続点における入力インピーダンスを１／（１／Ｚ1＋１／Ｚ2＋...＋１／ＺN）として規定する、請求項７に記載の無線周波数送信システム。
【請求項９】
前記多チャネル無線周波数コイルの前記Ｎの無線周波数チャネルの各々が、インピーダンスＺ0を持ち、前記整合回路が、インピーダンスＺ0をフィードするように設計された前記無線周波数電力増幅器と前記並列無線周波数接続点におけるインピーダンスＺ0／Ｎとの間のインピーダンス整合を提供する、請求項７に記載の無線周波数送信システム。
【請求項１０】
前記多チャネル無線周波数コイルの前記Ｎの無線周波数チャネルを前記電力スプリッタの前記並列無線周波数接続点と接続するＮの無線周波数絶縁体、
を有する、請求項７に記載の無線周波数送信システム。
【請求項１１】
前記電力スプリッタの前記インピーダンス整合回路が、
前記無線周波数電力増幅器と接続された第１の端部、及び前記並列無線周波数接続点と接続された第２の端部を持ち、分布インダクタンスを持つ同軸ケーブルと、
前記同軸ケーブルと接続されたキャパシタンスと、
を有する、請求項７に記載の無線周波数送信システム。
【請求項１２】
磁気共鳴システムにおいて、
検査領域において静止主磁場を生成する主磁石と、
前記検査領域において磁場傾斜を選択的に生成する磁場傾斜コイルのセットと、
請求項７ないし１１のいずれか一項に記載の無線周波数送信システムと、
を有する磁気共鳴システム。
【発明の詳細な説明】
【技術分野】
【０００１】
以下の事項は、無線周波数電力分野、電子分野、磁気共鳴分野、及び関連分野に関する。これは、撮像又は分光法等に対する磁気共鳴システムに対する事例的応用を用いて説明される。しかしながら、以下の事項は、無線周波数電力回路全般、及びマイクロ波回路全般等において、より一般的な応用を見つける。
【背景技術】
【０００２】
撮像又は分光法に対する典型的な磁気共鳴システムにおいて、１つの無線周波数電力増幅器が、送信位相に対して（すなわち、磁気共鳴励起に対して）使用される。前記増幅器の出力は、クワドラチャ（quadrature）"全身"送信コイルの２つのチャネルに、すなわち、０°位相"Ｉ"チャネル及び９０°位相"Ｑ"チャネルにフィードされる。クワドラチャ送信コイルのＩ及びＱチャネルに対する前記増幅器の結合は、典型的には、いわゆる"ハイブリッド"結合器を使用して達成され、前記ハイブリッド結合器は、前記Ｑチャネルに対して９０°位相シフトを導入し、反射電力に対して負荷を使用する。
【０００３】
他のタイプのコイルは、多素子全身コイルである。このようなコイルは、異なる対象負荷及び他の要因を受け入れるように、送信Ｂ1場に対する実質的な制御を提供するように対応する複数の無線周波数電力増幅器により様々な形で駆動されることができる複数の独立して駆動可能な導体を含む。このような多素子全身コイルは、例えば、横電磁（ＴＥＭ）モードで駆動可能であるように無線周波数スクリーンと結合されたロッドのセットとして、又は縮退バードケージコイルとして構築されることができる。より一般的には、高度に空間的に調整可能なＢ1送信場を生成するのに、多素子全身コイル又は表面コイル若しくは他の局所コイルのアレイのような多チャネル無線周波数コイルを使用することができる。
【０００４】
対応する複数の無線周波数電力増幅器と結合された多素子全身コイルは、ハイブリッド結合器を介して単一の電力増幅器により駆動されるクワドラチャ全身コイルと比較してシステムの複雑さ及びコストにおいて実質的な増加を示す。したがって、ある応用において、単一の無線周波数電力増幅器を使用して多チャネル無線周波数コイルを駆動することが望ましい。例えば、多素子全身コイルは、単一の無線周波数電力増幅器及び適切な電力結合回路を使用してクワドラチャ動作モードで駆動されることができる。
【０００５】
しかしながら、従来、電力結合回路が複雑であることがわかっている。１つの適切な電力結合器は、バトラーマトリクスとして知られている。クワドラチャ動作モードでＮチャネル多素子全身コイルを駆動するために、バトラーマトリクス回路は、規定の長さを持つケーブル及び負荷と組み合わせた少なくともＮ／２＋Ｎ／４＋...＋Ｎ／Ｎのハイブリッド結合器を含む。例えば、クワドラチャで８チャネル多素子全身コイルを駆動するように構成されたバトラー結合マトリクスは、前記バトラーマトリクスにおいて８／２＋８／４＋８／８＝７の結合器を必要とする。また、前記バトラーマトリクスは、かなりの電力損失を示し、Ｎ／２＋Ｎ／４＋...＋Ｎ／Ｎの結合器の各々及び対応するケーブル長が必要なインピーダンス及び位相整合を達成するように調節されなければならないので構築するのが複雑である。
【発明の概要】
【発明が解決しようとする課題】
【０００６】
以下の事項は、上で参照された問題及び他の問題を克服する新しい改良された装置及び方法を提供する。
【課題を解決するための手段】
【０００７】
１つの開示される態様によると、電力スプリッタが開示され、前記電力スプリッタは、Ｎの無線周波数チャネルが並列に接続される並列無線周波数接続点であって、Ｎが１より大きい正の整数であり、前記Ｎの無線周波数チャネルの並列接続が前記接続点における出力インピーダンスを規定する、前記並列無線周波数接続点と、前記無線周波数接続点と接続され、前記接続点における出力インピーダンスとインピーダンスＺ0をフィードするように設計された入力無線周波数信号源との間のインピーダンス整合を提供するインピーダンス整合回路とを有する。
【０００８】
他の開示される態様によると、磁気共鳴システムにおいて使用する無線周波数送信システムが開示され、前記無線周波数送信システムは、標的核において磁気共鳴を励起する無線周波数において入力無線周波数信号を生成するように構成され、インピーダンスＺ0をフィードするように設計される無線周波数電力増幅器と、１より大きい正の整数であるＮの無線周波数チャネルを持つ多チャネル無線周波数コイルと、（ｉ）並列無線周波数接続点であって、前記多チャネル無線周波数コイルのＮの無線周波数チャネルが、前記並列無線周波数接続点における出力インピーダンスを規定するように並列に接続される、前記並列無線周波数接続点、及び（ｉｉ）前記無線周波数電力増幅器を前記無線周波数接続点と接続し、前記無線周波数電力増幅器と前記接続点における出力インピーダンスとの間のインピーダンス整合を提供するように構成されるインピーダンス整合回路を含む電力スプリッタとを有する。
【０００９】
他の開示される態様によると、磁気共鳴システムが開示され、前記磁気共鳴システムは、検査領域において静止主（Ｂ0）磁場を生成するように構成された主磁石と、前記検査領域において磁場傾斜を選択的に生成するように構成された磁場傾斜コイルのセットと、先行する段落に記載された無線周波数送信システムとを有する。
【００１０】
１つの利点は、減少された数の構成要素を持つ無線周波数電力スプリッタを提供することにある。
【００１１】
他の利点は、製造の減少されたコストを持つ無線周波数電力スプリッタを提供することにある。
【００１２】
他の利点は、単純化された設計及び調整を持つ無線周波数電力スプリッタを提供することにある。
【００１３】
他の利点は、減少された信号減衰にある。
【００１４】
他の利点は、無線周波数電力増幅器を磁気共鳴システムの多チャネル無線周波数送信コイルと結合する改良された方法及び装置を提供することにある、前記改良された方法及び装置は、減少された数の構成要素、製造の減少されたコスト及び単純化された設計及び調整を含む利点を提供する。
【００１５】
本発明の他の利点は、以下の詳細な説明を読み、理解すると当業者により理解される。
【００１６】
様々な図において使用される場合に対応する参照番号は、図の対応する要素を表す。
【図面の簡単な説明】
【００１７】
【図１】無線周波数電力増幅器を多チャネル無線周波数送信コイルと結合する無線周波数スプリッタを含む磁気共鳴システムを概略的に示す。
【図２】図１の磁気共鳴システムにおいて使用するのに適した、電力スプリッタにより結合される無線周波数電力増幅器及び８チャネル無線周波数送信コイルの電気回路図を概略的に示す。
【図３】図１の磁気共鳴システムにおいて使用するのに適した、電力スプリッタにより結合される無線周波数電力増幅器及び８チャネル無線周波数送信コイルの物理的レイアウトを概略的に示す。
【図４】８つの無線周波数チャネルが図２及び３の電力スプリッタにおいて並列に接続される並列無線周波数接続点を形成するのに適切に使用されるスターポイント接続を概略的に示す。
【図５】図２及び３の電力スプリッタの変形例であり、図１の磁気共鳴システムにおいて使用するのにも適した電力スプリッタにより結合される無線周波数電力増幅器及び８チャネル無線周波数送信コイルの概略的な電気回路図を示す。
【発明を実施するための形態】
【００１８】
図１を参照すると、磁気共鳴（ＭＲ）スキャナ８は、検査領域１２において静止主（Ｂ0）磁場を生成する主磁石１０を含む。図示された実施例において、主磁石１０は、ヘリウム又は他の低温流体を使用する低温導管内に配置された超電導磁石であり、代替的には、常伝導又は永久主磁石が、使用されることができる。図示された実施例において、磁石アセンブリ１０、１４は、円柱状ボアとして検査領域１２を規定する概して円柱状のスキャナハウジング１６内に配置され、代替的には、オープン型ＭＲ幾何形状のような他の幾何形状も使用されることができる。磁気共鳴は、図示された多素子全身コイル１８のような１以上の無線周波数コイル又は頭部コイル若しくは胸部コイルのような１以上の局所コイル若しくはコイルアレイにより励起され、検出される。励起された磁気共鳴は、磁場傾斜コイルのセット２０により選択的に生成された磁場傾斜により空間符号化、位相シフト及び／又は周波数シフト、又は他に操作される。
【００１９】
磁気共鳴スキャナ８は、磁気共鳴データメモリに記憶される投影又はｋ空間サンプルのような磁気共鳴データを生成し、空間符号化し、読み出すように磁気共鳴データ取得コントローラ２２により動作される。取得された空間符号化磁気共鳴データは、磁気共鳴再構成プロセッサ２６により再構成され、検査領域１２内に配置された対象Ｓの１以上の画像を生成する。再構成プロセッサ２６は、取得された投影データを再構成する逆投影ベースのアルゴリズム又はｋ空間サンプルを再構成するフーリエ変換ベースのアルゴリズムのような空間符号化に適合する再構成アルゴリズムを使用する。１以上の再構成された画像は、磁気共鳴画像メモリ２８に記憶され、ユーザインタフェース３２のディスプレイ３０に適切に表示され、プリンタ又は他のマーキングエンジンを使用して印刷され、又はインターネット若しくはデジタル病院ネットワークを介して送信され、磁気ディスク若しくは他のアーカイバル記憶部に記憶され、又は他に使用される。図示されたユーザインタフェース３２は、放射線技師、心臓専門医又は他のユーザが画像を操作することを可能にし、図示された実施例においては、磁気共鳴スキャナコントローラ２２とインタフェース接続する図示されたキーボード３４、又はマウス若しくは他のポインティングタイプの入力装置等のような１以上のユーザ入力装置をも含む。磁気共鳴データ取得コントローラ２２及び磁気共鳴再構成プロセッサ２６を含む処理構成要素は、１以上の専用デジタル処理装置、１以上の適切にプログラムされた汎用コンピュータ、又は１以上の特定用途向け集積回路（ＡＳＩＣ）構成要素等により適切に実施される。
【００２０】
図１を参照し続けると、送信モードにおいて、図示された多素子全身コイル１８は、磁気共鳴データ取得コントローラ２２により制御される無線周波数電力増幅器４０により駆動される。無線周波数電力増幅器４０は、インピーダンスＺ0をフィードするように設計される。ある実施例において、無線周波数電力増幅器４０は、インピーダンスＺ0＝５０オームをフィードするように設計される。無線周波数送信の周波数は、標的核において磁気共鳴を励起するように選択される。例えば、Ｂ0＝３Ｔ及び標的種として1Ｈ核に対して、多素子全身コイル１８は、約１２８ＭＨｚの無線周波数において適切に駆動される。より一般的には、標的種として1Ｈ核に対して、多素子全身コイル１８は、約（４２．６ＭＨｚ／Ｔ）・｜Ｂ0｜の無線周波数において適切に駆動され、ここで４２．６ＭＨｚ／Ｔは、1Ｈ核に対するジャイロマグネティック比である。更に一般的には、多素子全身コイル１８は、γ・｜Ｂ0｜の無線周波数において適切に駆動され、ここでγは、標的核種のジャイロマグネティック（又は磁気回転）比である。
【００２１】
無線周波数電力増幅器４０は、電力出力４２を生成し、他方で、多素子全身コイル１８は、Ｎの入力を受け取るように設計され、ここでＮは１より大きく、ある実施例において２より大きい。例えば、ある実施例において、多素子全身コイル１８は、横電磁（ＴＥＭ）モードで駆動可能であるように無線周波数スクリーンと接続されたロッドのセット又は縮退バードケージコイルである。前記多素子全身コイルは、８チャネル、１６チャネル、又は１より大きい他の数のチャネルを持つことができる。図示された多素子全身コイル１８の代わりに、表面コイルのアレイのような他のタイプの多チャネル無線周波数コイルが、送信位相に対して使用されることができる。
【００２２】
無線周波数電力増幅器４０をＮチャネルに対する電力出力部４２又は多素子全身コイル１８の入力部と結合するために、無線周波数電力スプリッタ４４は、電力出力部４２を、多素子全身コイル１８の前記Ｎの入力部又はチャネルに接続されたＮの電力出力部４６に分割するように構成される。電力スプリッタ４４は、以下の洞察、すなわち、前記スプリッタのＮチャネルに対して測定されたインピーダンスＺchは、駆動電力増幅器４０がフィードするように設計されたインピーダンスＺ0に等しくなくてもよいという洞察に基づいて構成される。これは、絶縁体の使用、若しくは多素子全身コイル１８の良好な整合特性の結果であるか、又は両方の要因の結合された結果である。したがって、多素子全身コイル１８のＮのチャネルに対するＮの入力部（これらの入力部は、典型的には、同軸ケーブル入力部として実施される）を電気的に並列な構成に配置することにより、この並列構成に対するインピーダンスは、Ｎチャネル全てが同じインピーダンスＺchを持つと仮定してＺch／Ｎである。したがって、電力スプリッタ４４は、このインピーダンスＺch／Ｎを電力源４０のインピーダンスＺ0に整合することができる。
【００２３】
あるシステムにおいて、多素子全身コイル１８の各チャネルは、駆動電力増幅器４０のインピーダンスと同じインピーダンスを持ち、すなわち、これらの実施例に対してＺch＝Ｚ0である。この場合、前記並列構成は、インピーダンスＺ0／Ｎを持つ。ある市販の増幅器及び多素子全身コイルは、Ｚ0＝Ｚch=５０オームを採用する。
【００２４】
図１を参照し続け、更に図２−４を参照すると、チャネル数Ｎ＝８である構成に対する実施例が図示される。（これは、説明のための例であり、一般に、Ｎは、１より大きな如何なる値であることもでき、ある実施例において２より大きい。）前記並列構成は、前記Ｎの無線周波数チャネルが並列に接続される並列無線周波数接続点５０を使用して適切に達成される。適切な構成において、並列無線周波数接続点５０は、前記Ｎの無線周波数チャネルのＮの同軸ケーブル入力部５２のＮの端部が、ワイヤ又は物理接続を介して一緒に電気的に接続されるスターポイント（star point）並列接続である。（同軸入力ケーブル５２が図３及び４においてのみラベルづけされていることに注意する。）Ｚch／Ｎの出力インピーダンスは、並列無線周波数接続点５０において規定される。
【００２５】
インピーダンス整合回路５４は、無線周波数接続点５０と接続され、無線周波数電力増幅器を並列無線周波数接続点５０におけるインピーダンスＺch／Ｎに対して整合するように構成される。適切な実施例において、インピーダンス整合回路５４は、例えば電力増幅器４０と着脱可能に構成された適切なコネクタ６４を介して、又は代替的にははんだ付けされた若しくは他の非着脱可能な接続を介して、電力増幅器４０に接続された第１の端部６２を持つ同軸ケーブル６０を含む。同軸ケーブル６０は、並列無線周波数接続点５０と接続された第２の端部６６をも持つ。この接続は、適切にはんだ付けされるが、１対Ｎ同軸ケーブル結合器のような着脱可能な接続も考えられる。同軸ケーブル６０は、分布インダクタンスＬを持つ。物理ケーブル端部６２、６６及び着脱可能コネクタ６４が、図３の物理的レイアウト図においてラベルづけされているが、図２の電気回路図においてされていないことに注意する。
【００２６】
分布インダクタンスＬが、インピーダンスＺ0をフィードするように設計される無線周波数電力増幅器４０と並列無線周波数接続点５０における出力インピーダンスＺch／Ｎとの間のインピーダンス整合を達成するのにこれ自体では不十分である場合、容量Ｃを持つ図示されたキャパシタンス６８のような追加の構成要素が、インピーダンス整合条件Ｚin＝Ｚch／Ｎを達成するために含まれる。キャパシタンス６８は、（図示されるように）１つのキャパシタにより、又は同軸ケーブル６０の反対側の端部６２、６６において及び／又は同軸ケーブル６０に沿った１以上の中間点において接続された２以上のキャパシタにより実施されることができる。同軸ケーブル６０に沿った分布インダクタンスＬの分布のため、素子６０、６８の組み合わせのインピーダンスは、１以上のキャパシタの構成に依存して変化しうる。例えば、同軸ケーブル６０と平行に、中に、又は囲むように配置された電気導体、又は必要なインピーダンス整合を提供する他の回路トポロジを使用することにより、構築された分布キャパシタンスを使用することも考えられる。前記インピーダンス整合回路に対する他の適切なトポロジは、例えば、インピーダンスが、整合されるべきインピーダンスの幾何学的中間値である四分の一波長送信ライン、Ｌネットワーク、パイネットワーク、又はインピーダンスが巻線比の二乗とともに変化する変換器等を含む。
【００２７】
整合条件Ｚin＝Ｚch／Ｎを達成する整合回路５４は、様々な形で決定されることができる。例えば、分布インダクタンスＬ及び容量Ｃに対する値は、駆動電力増幅器４０の入力インピーダンスＺ0（例えば、ある市販の電力増幅器に対してＺ0＝５０オーム）及び多チャネル無線周波数コイル１８のＮチャネルの各々に対するインピーダンスＺch（例えば、ある多素子全身コイル設計に対してＺch＝５０オーム）に対する既知の値に基づいて推定されることができる。同軸ケーブル６０の長さ及び主要キャパシタの容量Ｃは、それぞれ、Ｌ及びＣに対するこれらの推定値を実施するように選択されることができる。調整キャパシタは、ネットワークアナライザ又は他の診断装置を使用して実行されるインピーダンス測定に基づいて整合回路インピーダンスの微調整を可能にするためにオプションとして含まれる。
【００２８】
図示された実施例において、Ｎのチャネル全てが、同じインピーダンスＺchを持つ。より一般的には、前記ＮのチャネルがそれぞれのインピーダンスＺ1、Ｚ2、...ＺNを持つ場合、前記並列構成に対するインピーダンスは、Ｚin＝１／（１／Ｚ1＋１／Ｚ2＋...＋１／ＺN））であり、これは、インピーダンス整合回路５４によりインピーダンスＺ0をフィードするように設計された無線周波数電力増幅器４０に対して整合される。
【００２９】
図３において、多素子全身コイル１８のＮのチャネルにフィードするＮの同軸入力ケーブル５２は、任意の長さに描かれている。ある実施例において、ケーブル５２の長さは、クワドラチャ動作モード又は他の選択された動作モードを達成するように、Ｎの素子に対する選択された位相を達成するように選択される。他の実施例において、キャパシタのような追加の調整素子が、前記Ｎのチャネルに対する所望の位相特性を達成するように追加される。
【００３０】
図５を参照すると、他の潜在的な問題は、出力反射である。これは、インピーダンス整合により減少又は消去されることができるが、前記Ｎのチャネル又は他の要因の間の変化は、結果として、多素子全身コイル１８のＮのチャネルの１、２、一部、又は全てから出力反射を生じる可能性がある。この問題に対処するために、図５の変形電気回路図は、この実施例のＮ＝８のチャネルの各々の入力部に挿入された絶縁体素子７０を示す。図示された絶縁体素子７０は、各々、並列無線周波数接続点５０とコイルチャネルとの間に挿入された２つの端子及び抵抗負荷と接続された第３の端子を持つ三端子サーキュレータ素子７２を含む。例えば、前記負荷は、Ｚch＝５０オームインピーダンスの場合に５０オームの抵抗器であることができる。前記絶縁体は、前記回路内の他の点に配置されることができる。例えば、前記絶縁体を収容する空間を提供するために、前記絶縁体は、出力部に配置されてもよい。オプションとして、スイッチが、図５に示されるように、又は異なるチャネルを駆動するように個別の増幅器を使用することによりのいずれかで前記多素子全身コイルにフィードすることができるようにスプリッタと前記サーキュレータ（又は他の絶縁体）との間に配置される。
【００３１】
本発明は、好適な実施例を参照して説明されている。修正例及び変更例は、先行する詳細な説明を読み、理解すると他者が思いつくことができる。本発明は、添付の請求項又は同等物の範囲内に入る限り全てのこのような修正例及び変更例を含むと解釈されることが意図される。請求項において、括弧間に配置された参照符号は、請求項を限定すると解釈されるべきでない。単語"有する"は、請求項に記載された要素又はステップ以外の要素又はステップの存在を除外しない。要素に先行する単語"１つの"（"a"又は"an"）は、複数のこのような要素の存在を除外しない。開示された実施例は、複数の異なる要素を有するハードウェアを用いて、又はハードウェア及びソフトウェアの組み合わせを用いて実施されることができる。複数の手段を列挙するシステム請求項において、これらの手段のいくつかは、コンピュータ可読ソフトウェア又はハードウェアの同一アイテムにより実施されることができる。特定の方策が相互に異なる従属請求項に記載されるという単なる事実は、これらの方策の組み合わせが有利に使用されることができないことを示さない。
【図１】
0006085413.tif 000002
【図２】
0006085413.tif 000003
【図３】
0006085413.tif 000004
【図４】
0006085413.tif 000005
【図５】
0006085413.tif 000006